(57)【特許請求の範囲】
【請求項１】
アルミニウム系合金、又はチタン系合金、又はマグネシウム系合金を形状加工して曲面を有する複数の内面が形成された第１の部材とし、この第１の部材の内面側に一体形成された樹脂製の接合部にネジ螺合することで第１の部材を第２の部材に固定する魚釣用リールの構成部材の製造方法であって、  前記接合部は、前記形状加工した第１の部材を射出成型金型にセットし、前記樹脂を充填することで前記曲面を有する複数の内面に結合した状態で一体形成されており、  前記接合部の基端から連続した薄肉厚部を、前記曲面を有する複数の内面に沿って所定範囲に亘って形成したことを特徴とする魚釣用リールの構成部材の製造方法。
【請求項２】
前記接合部を形成した後、第１の部材に陽極酸化処理を施したことを特徴とする請求項１に記載の魚釣用リールの構成部材の製造方法。
【請求項３】
アルミニウム系合金、又はチタン系合金、又はマグネシウム系合金を形状加工して上内面、側内面、及び上内面から側内面に移行する曲面を有する複数の内面が形成された外側板とし、前記外側板をリール本体に対して、外側板と異なる金属で形成されたネジで固定した両軸受型リールの製造方法であって、  前記形状加工した外側板を射出成型金型にセットして、樹脂を充填することで前記曲面に結合した状態で少なくとも１つ以上の樹脂製の雌穴を具備したボス部を一体形成すると共に、前記樹脂によって、前記ボス部の基端から連続した薄肉厚部を前記曲面から外側板の内面に沿って所定範囲に亘って形成し、  前記リール本体から前記ボス部に対して前記ネジを螺合することで、前記リール本体に対して外側板を固定したことを特徴とする両軸受型リールの製造方法。
【請求項４】
曲面を有する複数の内面が形成されたアルミニウム系合金、又はチタン系合金、又はマグネシウム合金製の第１の部材と、 前記第１の部材に一体形成された接続部とネジ螺合により固定される第２の部材と、を含む魚釣用リールの構成部材であって、 前記接続部は樹脂製であると共に、前記複数の内面に結合した状態で一体形成されており、 前記接続部はその基端から連続する薄肉厚部を有し、 前記薄肉厚部は、前記複数の内面に沿って所定範囲に亘って形成されていることを特徴とする魚釣用リールの構成部材。
【請求項５】
前記第１の部材は、陽極酸化処理が施されていることを特徴とする請求項４に記載の魚釣用リールの構成部材。
【請求項６】
上内面、側内面、及び上内面から側内面に移行する曲面を有する複数の内面が形成されたアルミニウム系合金、又はチタン系合金、又はマグネシウム合金製の外側板と、 前記外側板に一体形成されたボス部と、ネジの螺合により固定されるリール本体とを有する両軸受型リールであって、 前記ネジは前記外側板と異なる金属で形成されており、 前記ボス部は樹脂製であって、少なくとも一つ以上の雌穴を具備すると共に、前記複数の内面に結合した状態で一体形成されており、 前記ボス部はその基端から連続する薄肉厚部を有し、 前記薄肉厚部は前記複数の内面に沿って所定範囲に亘って形成されていることを特徴とする両軸受型リール。
【発明の詳細な説明】
【技術分野】
【０００１】    本発明は、魚釣用リールに関し、詳細には、電食を防止しながら設計自由度及びデザイン自由度の向上が図れる魚釣用リール、魚釣用リールの構成部材及びそれらの製造方法に関する。
【背景技術】
【０００２】
一般的に魚釣用リールは、軽量化やデザイン性が求められており、締結部材（ネジ等）を含めて異種金属を組み合わせて構成されることが多い。その場合、魚釣用リールは、水（特に海水）に触れることから、電位差の異なる異種金属を組み合わせた構成にすると、電食（電気化学作用による腐食）が発生してしまう。
【０００３】
そのような電食の対策として、特許文献１には、電解腐食が生じ難く、かつ耐食被膜の剥離を抑えて釣り用部品同士を締結する締結構造が提案されている。具体的には、表面に耐食被膜が形成されたマグネシウム合金製の第１の構成部品に対して、ナット部材を回転不能かつ軸方向に移動不能に装着しておき、金属製のネジ部材を第２の構成部品に形成されているネジ孔を介して前記ナット部材に螺合することで、第２の構成部品を第１の構成部品に対して締結する締結構造が開示されている。  
このような締結構造によれば、両構成部品の着脱を繰り返しても、第１の構成部品の耐食被膜が剥離し難くなり電解腐食を生じ難くすることが可能となる。
【先行技術文献】
【特許文献】
【０００４】
【特許文献１】特開２００２−２１８８７１号
【発明の概要】
【発明が解決しようとする課題】
【０００５】
しかし、上記した公知文献に開示されている締結構造では、部品点数が多いため、コストが高くなると共に組み込み性も良くない。また、部品点数が多いことから、部品間に海水が浸み込みやすく（毛細管現象により浸み込みやすい）、これにより、塩分が溜まりやすくなって、塩分による金属腐食を招きやすい。
【０００６】
また、締結部材による締結位置（ナット部材が設けられる位置）についても、ナット部材を第１の構成部品に対して固定するに際し、第１の構成部品にネジ部材の螺入方向に対して垂直な面を形成してナット部材を固定する必要があり、これにより、デザイン性、及び設計自由度が制限されてしまう。
【０００７】  本発明は、上記した問題に着目してなされたものであり、電食が確実に防止できると共に、部品点数が少なく組み込み性に優れ、設計自由度やデザイン性を制限することのない締結構造を備えた魚釣用リール、その構成製部材、及びそれらの製造方法を提供することを目的とする。
【課題を解決するための手段】
【０００８】  上記した目的を達成するために、本発明は、アルミニウム系合金、又はチタン系合金、又はマグネシウム系合金を形状加工して曲面を有する複数の内面が形成された第１の部材とし、この第１の部材の内面側に一体形成された樹脂製の接合部にネジ螺合することで第１の部材を第２の部材に固定する魚釣用リールの構成部材の製造方法であって、前記接合部は、前記形状加工した第１の部材を射出成型金型にセットし、前記樹脂を充填することで前記曲面を有する複数の内面に結合した状態で一体形成されており、前記接合部の基端から連続した薄肉厚部を、前記曲面を有する複数の内面に沿って所定範囲に亘って形成したことを特徴とする。【０００９】
上記した魚釣用リールの構成部材によれば、第１の部材は、アルミニウム系合金、又はチタン系合金、又はマグネシウム系合金を形状加工して形成され、その形状加工した第１の部材を射出成型金型にセットして、その内面側に樹脂製の接合部を一体形成することから、第２の部材に対する第１の部材の接合部分が樹脂製となり、従来のように第２の部材との間の接合部分に、別途、樹脂製のカラー等を介在する等して電食対策を講じる必要がなくなる。すなわち、第１の部材の内面側に樹脂製の接合部を一体形成することで、部品点数の削減が図れると共に、第１の部材と接合部との間には隙間が生じることもないので、海水が浸み込んで塩分が溜まるようなこともなく、電食を効果的に抑制することが可能となる。また、第１の部材に対して樹脂製の接合部を一体形成することから、接合部を湾曲した面等、任意の位置に形成することが可能となり、これにより、第１の部材のデザイン性や設計自由度が制限されることもない。
【００１０】
上記した構成において、形状加工とは、予め所定の状態（例えば、板状体、丸棒状体）となっているアルミニウム系合金、又はチタン系合金、又はマグネシウム系合金に対して外的な加工を施すことにより、所定の形状を得るものを意味しており、具体的な加工方法としては、例えば、鍛造、プレス加工、切削加工（これらの加工を組み合わせても良い）等が該当する。
【００１１】
また、上記したような魚釣用リールの構成部材（第１の部材）は、例えば、両軸受型リールの外側板とし、前記外側板をリール本体に対して、外側板と異なる金属で形成されたネジで固定した両軸受型リールに適用することが可能である。すなわち、形状加工した外側板を射出成型金型にセットして、その内面に、少なくとも１つ以上の樹脂製の接合部を一体形成すると共に、前記樹脂によって、前記接合部の基端から連続した薄肉厚部を前記外側板の内面に沿って所定範囲に亘って形成し、前記リール本体から前記接合部に対して前記ネジを螺合することで、前記リール本体に対して外側板を固定した両軸受型リールに適用することが可能である。
【発明の効果】
【００１２】  本発明によれば、電食が確実に防止できると共に、部品点数が少なく組み込み性に優れ、設計自由度やデザイン性を制限することのない締結構造を備えた魚釣用リール、及びその構成部材が得られる。
【図面の簡単な説明】
【００１３】
【図１】本発明に係る魚釣用リールの構成部材の第１の実施形態を示す図であり、構成部材を備えた両軸受型リールの一例を示す平面図。
【図２】図１を矢印Ｄ方向から見た図。
【図３】図１のＡ−Ａ線に沿った断面図。
【図４】図１に示す両軸受型リールにおいて、リール本体を構成しているフレームに外側板を固定する方法を示す図。
【図５】図１に示す両軸受型リールにおいて、右側の外側板の構成を示す図であり、（ａ）は側面図、（ｂ）は平面図、（ｃ）は下面図、（ｄ）は正面図。
【図６】（ａ）は図５の外側板を内側から見た図、（ｂ）は図（ａ）のＢ−Ｂ線に沿った断面図、（ｃ）は図（ａ）のＣ−Ｃ線に沿った断面図。
【図７】図６（ｂ）の拡大図。
【図８】図６（ａ）のＤ−Ｄ線に沿った断面図。
【図９】外側板の製造方法の一例を示す図であり、射出成型金型を密着する前の状態を示す図。
【図１０】外側板の製造方法の一例を示す図であり、射出成型金型を密着した状態を示す図。
【図１１】外側板の製造方法の一例を示す図であり、樹脂を注入する状態を示す図。
【図１２】外側板の製造方法の一例を示す図であり、射出成型金型を離間した状態を示す図。
【図１３】本発明に係る魚釣用リールの構成部材の第２の実施形態を示す図であり、構成部材を備えたスピニングリールの一例を示す分解斜視図。
【発明を実施するための形態】
【００１４】
以下、図面を参照しながら本発明に係る魚釣用リールの実施形態について説明する。  
図１から図８は、本発明に係る魚釣用リールの構成部材の第１の実施形態を示す図であり、そのような構成部材を、両軸受型リールの外側板（カバー部材；第１の部材）に適用した例を示している。
【００１５】
図１から図４に示すように、両軸受型リールのリール本体１は、左右フレーム３ａ，３ｂを有するフレーム３と、左右フレーム３ａ，３ｂに対して固定される左右外側板５，６を有している。左右フレーム３ａ，３ｂ間には、スプール軸７が軸受を介して回転自在に支持されており、スプール軸７には、釣糸が巻回されるスプール７ａが一体的に固定されている。
【００１６】
前記右フレーム３ｂ（右外側板６）側には、右フレーム３ｂ、及び右外側板６との間に設置される軸受によって回転可能に支持されるハンドル軸９が配置されており、その端部には、回転操作されるハンドル９ａが取り付けられている。また、右フレーム３ｂから突出するスプール軸７の端部（右フレーム３ｂと右外側板６との間の空間）には、公知の駆動力伝達機構１０が配設されており、前記ハンドル軸９に装着された駆動歯車９ｂと係合して、ハンドル９ａの回転操作をスプール軸７に伝達するようになっている。
【００１７】
これにより、ハンドル９ａを回転操作すると、前記駆動力伝達機構１０を介して、スプール軸７が回転駆動され、スプール７ａに釣糸が巻回される。なお、スプール７ａの前方には、公知のレベルワインド装置１２が設けられており、釣糸は、均等にスプール７ａに巻回される。また、前記ハンドル軸９と駆動歯車９ｂとの間には、公知のドラグ装置１３が設置されており、魚が掛かって釣糸が繰り出された場合等、スプール７ａに対して所望の制動力を付与できるようになっている。
【００１８】
前記フレーム３には、左右フレーム３ａ，３ｂ間に、釣竿に装着されるリール脚３ｃが一体形成されている。このようなフレーム３は、例えば、アルミニウム合金、マグネシウム合金、ステンレス、ＦＲＰ等によって形成されており、各左右フレーム３ａ，３ｂは、各外側板（第１の部材）に対する相手部材（第２の部材）となって、前記左右外側板５，６の内面側がネジ（ＳＵＳ等によって形成される）１５によって固定される。
【００１９】
ここで、図５から図８を参照しながら、左右外側板の構成について説明する。なお、図面では、右外側板６の構成が示されている（左側板５については、右側板と略同様であり、詳細な説明については省略する）。  
右外側板６は、相手部材となる右フレーム３ｂを覆うように固定される部材であり、その外表面には、外観の向上、及びリール本体に組み込まれる各種機能部品に応じて凹凸や湾曲面が形成されている。具体的には、例えば、前記ハンドル軸９を挿通させる開口６ａを有する突出部６ｂ、及びスプール軸７に対してスラスト方向の制動力を付与するための制動装置が設置される突出部６ｃ等が形成されている。
【００２０】
本実施形態では、上記のような形状を有する右外側板６は、予め板状に形成されているアルミニウム系合金をプレス加工することで形成されている。この場合、用いられるアルミニウム系合金については、５０００番台から６０００番台のものを用いることが好ましく、このようなアルミニウム系合金を用いることで、最終的に陽極酸化処理（アルマイト処理）を施した際に、塗装とは異なる金属色の外観を得ることができ（金属特有の高級感を出すことができる）、さらには、剛性・強度を持たせながら、金属自体の防食も可能となる。また、板状のアルミニウム系合金を、プレス成形機を用いてプレス加工することで、外側板の製造を容易に行え、コストの削減、及び素材を効率的に利用することが可能となる。
【００２１】
上記のようなプレス加工処理により、右外側板６には、所定の凹凸、曲面、開口等が形成され、その後、内面側に樹脂製の接合部が一体形成される。この場合、接合部は、上記したフレーム側から螺合されるネジ１５を固定する部分であり、所定の高さを有し、ネジ１５が螺合される雌穴が形成されたボス部として構成されている。このようなボス部は、右外側板に少なくとも１つ以上形成されていれば良く、本実施形態では、図７に示すように、右外側板の上部略中央（雌穴３０ａを有するボス部３０）、右外側板の後部（雌穴３１ｂ，３１ｃを有する複合化されたボス部３１）、及び右外側板の下部後方（雌穴３２ａを有するボス部３２）の３か所に形成されている。なお、各ボス部は、右外側板の取り付けが容易になるように、スプール軸方向に沿った方向に突出形成されており、図４に示す方向でネジ１５が螺合されるようになっている。
【００２２】
上記のような接合部（ボス部）は、形状加工した右外側板を射出成型金型にセットし、樹脂を充填することで、その内表面に一体形成される。  
ここで、図９から図１２を参照して、そのようなボス部の形成方法について具体的に説明する。なお、これらの図では、図５及び図６に示す複数のボス部の内、ボス部３２の部分が示されている。また、金属部材に対して樹脂製の部材を一体形成する方法について公知となっており、以下においては、特徴部分について詳細に説明する。
【００２３】
最初に、凹凸等を有する所定形状にプレス加工された右外側板６に対して表面を洗浄処理した後、表面改質処理を実施する。この表面改質処理は、射出成型金型にセットした状態で、射出される樹脂との間で接合を強固に維持するために実施される処理であり、例えば、特許第４３６５５７８号等に開示されているように、金属表面にナノレベルの凹凸を形成したり、或いは、金属と樹脂の双方に拡散できるような拡散膜を形成する工程が該当する。  
次に、このように表面改質処理を施した右外側板６は、射出成型金型５０，５１間にセットされる。この場合、一方の金型５０は、右外側板６の外表面の形状に一致する内面形状を有しており、他方の金型５１は、右外側板６の内表面の形状に一致する外面形状を有している。
【００２４】
前記金型５１には、各雌穴を具備するボス部が形成される位置に応じて凹凸部が形成されており、環状の凹部５１ａは、ボス部３２の突出部分に対応し、環状凹部の中央に形成される凸部５１ｂは、ボス部３２の雌穴３２ａに対応している。なお、ボス部３２は、右外側板６の側内面６ｆの内、下側外縁領域に形成された曲面６ｄに沿って形成されるようになっており、金型５０，５１及び前記凹凸部５１ａ，５１ｂには、そのような曲面６ｄに沿ってボス部３２が形成される形状を備えている。すなわち、形成されるボス部３２は、曲面６ｄに対して一体形成された状態で、スプール軸に沿う方向に突出した状態となっている。
【００２５】
また、金型５１には、前記ボス部３２を形成するための樹脂が注入されるゲート５５を備えている。ゲート５５は、前記凹凸部５１ａ，５１ｂのいずれかの位置、或いは他の部位に形成されていれば良く、また、複数設けても良く、右外側板６をセットした状態で図１１に示すように、樹脂６０が注入される。注入される樹脂６０は、例えば、ポリフェニレンサルファイド（ＰＰＳ）、ポロブチレンテレフタレート（ＰＢＴ）、ポリアミド（ナイロン）等を用いることが可能であり、このような樹脂６０を注入することで、前記改質された金属表面との間で強固な結合が得られ、ボス部３２は、内表面が曲面６ｄであっても剥離等することなく、強固に固定される（図１２参照）。
【００２６】
上記したように形成されるボス部については、図７に示すボス部３０のように、複数の面、具体的には、右外側板６の上内面６ｅと、側内面６ｆから上内面に移行する曲面６ｇとの両面に沿って形成することも可能であり、このような複数の面に形成することで、接合強度が安定するようになる。或いは、図８に示すボス部３１のように、２つのボス部（雌穴３１ｂ，３１ｂを有する複合化されたボス部）を一体化することで、側内面６ｈとの間の設置面積が拡大して接合強度の向上を図ることが可能となる。
【００２７】
上記した右外側板６の構成によれば、アルミニウム系合金をプレス加工し、それを射出成型金型５０，５１にセットして、その内面側に樹脂製のボス部３０〜３２を一体形成するため、相手部材であるフレーム３に対する接合部分が樹脂となり、従来のように相手部材との間の接合部分に、別途、樹脂製のカラー部材を介在する等して電食対策を講じる必要がなくなる。また、金属で形成される右外側板６の内面側に、樹脂製のボス部３０〜３２を一体形成したことで、部品点数の削減が図れると共に、カラー部材を配設することによる隙間が生じることもないので、海水が浸み込んで塩分が溜まるようなこともなく、電食を効果的に抑制することが可能となる。また、外側板に対して樹脂製のボス部を一体形成することから、そのようなボス部を任意の位置、例えば、スプール軸に沿った方向に突出させた状態で湾曲した面内に形成することが可能となり、これにより、外側板のデザイン性や設計自由度が制限されることもない。
【００２８】
そして、上記したようなボス部３０〜３２を形成するに際しては、その樹脂によって、ボス部の基端から連続した薄肉厚部６１を内面に沿って所定範囲に亘って形成しておくことが好ましい。このような薄肉厚部６１は、金型５１のボス部形成領域に隙間５１ｄを形成したり、ある程度の遊度を持たせて両金型を密着することで、樹脂６０が注入された際、ボス部の基端からその周辺に這うように形成することが可能である。
【００２９】
このような薄肉厚部６１を形成することで、仮に電食が生じても、その進行を抑制することが可能となる。すなわち、電食は、固有の電極電位を有する金属同士（電位が高い金属を貴金属、電位が低い金属を卑金属とする）が通電性のある液体（海水）によって局部電池を構成し、電位が低い卑金属側がイオン化して腐食することによって生じる現象である。通常、このような電食は、貴金属と卑金属の面積比によって電食の発生率が変化し、卑金属側の面積が大きければ、その分、電食の発生率が高くなってしまう。
【００３０】
上記したように、例えば、フレーム３やビス１５に対して、外側板を卑金属で形成するような構成の場合、上記のような樹脂製の薄肉厚部６１を形成することで、卑金属の面積比を減らすことができ、電食を効果的に抑制することが可能となる。また、そのような薄肉厚部６１を形成することにより、ボス部の接合強度を向上することも可能となる。
【００３１】
なお、薄肉厚部６１については、その肉厚や形成範囲については、特に限定されることはないが、上記したような作用効果が得られるように、肉厚は０．３〜３ｍｍ程度あれば良い。また、形成領域については、少なすぎると上記した作用効果が有効に得られなくなり、かつあまり広範に形成すると、卑金属の面積が小さくなり、電食を加速させてしまうため、ボス部の周辺に対して１〜２０ｍｍの範囲に亘って形成しておくことが好ましい。
【００３２】
また、上記した構成では、ボス部３０〜３２が形成された右外側板６に対して陽極酸化処理を施すことが好ましい。上記したように、プレス加工する材料は、ダイキャストで形成する場合の材料（例えば、ＡＤＣ１２）とは異なるもの（５０００番台のアルミニウム系合金）を用いることが可能であり、このようなアルミニウム系合金を用いることで、陽極酸化処理（アルマイト処理）を施した際、塗装とは異なる金属色の外観を得ることが可能となる（ダイキャストによる成型では、材料の流動性を確保するために、シリコン系の材料を含有しており、このような素材では、通常、塗装によって表面処理が施されることから、金属特有の外観を得ることはできない）。
【００３３】
本発明は、上記した両軸受型リール以外に適用することが可能であり、例えば、図１３に示すようなスピニングリールに適用することが可能である。  
この実施形態のスピニングリールでは、リール本体（第１の部材）７０をアルミニウム系合金で形成しておき、リール本体７０に、側面カバー７１、及び後方カバー７２を、ＳＵＳ系のネジ７５，７５ａによって装着されるように構成されている。
【００３４】
リール本体７０には、側面カバー７１を装着する際に位置決めされる位置決め凸部７２が複数個所、形成されると共に、上記したネジ７５が螺合される接合部（ボス部）７６、及び接合部７６を構成する樹脂によって薄肉厚部７７が形成されている。これらのボス部７６及び薄肉厚部７７は、上記した図９から図１２に示す方法に従って形成することが可能である。なお、図に示す構成では、リール本体７０に、ネジ７５ａが螺合される部分としてネジ穴７８を形成しているが、これらのネジ穴７８をボス部７６と同じように構成しても良い。また、後方カバー７２を固定するネジ７５についても、リール本体７０側に同様なボス部（図示せず）を形成しておいても良い。
【００３５】
このように、本発明は、スピニングリールの本体部材やカバー部材に適用する等、魚釣用リールの様々な部分に適用することが可能である。
【００３６】
以上、本発明の実施形態について説明したが、本発明は、上記した実施形態に限定されることはなく、種々変形することが可能である。  
上記した実施形態では、接合部（ボス部）が一体形成される金属部材は、アルミニウム系合金として説明したが、それ以外にも、チタン系合金、又はマグネシウム系合金を用いることが可能である。これらの素材においても、軽量化、及び外観の向上が図れるとともに、上記のような接合部についても容易に形成することが可能である。また、形状加工される部材については、プレス加工し易いように、板状体であることが好ましいが、それ以外にも、丸棒状体を形状加工しても良く、形状加工については、鍛造加工（プレス加工も含まれる）や切削加工を施したものであっても良い。もちろん、最終的な外観を塗装によって形成するのであれば、上述したように定義される形状加工以外にも、鋳造（ダイキャスト）によって第１の部材（外側板６，７、リール本体７０）を形成しても良い。さらに、接合部の形状については、図に示したネジ穴を有する円柱形状（ボス部）以外にも、適宜変形することが可能である。
【符号の説明】
【００３７】
１  リール本体
３  フレーム（第２の部材）
３ａ，３ｂ  左右フレーム
５，６  左右側板（第１の部材）
３０〜３２  接合部（ボス部）
６１  薄肉厚部
【図１】
0005906017.tif 000002
【図２】
0005906017.tif 000003
【図３】
0005906017.tif 000004
【図４】
0005906017.tif 000005
【図５】
0005906017.tif 000006
【図６】
0005906017.tif 000007
【図７】
0005906017.tif 000008
【図８】
0005906017.tif 000009
【図９】
0005906017.tif 000010
【図１０】
0005906017.tif 000011
【図１１】
0005906017.tif 000012
【図１２】
0005906017.tif 000013
【図１３】
0005906017.tif 000014